(57)【要約】【課題】  給油管において、アンチサイフォン構造の圧力損失を低減する。【解決手段】  燃料タンク５と給油口との間に配置される給油管１であって、給油管の内壁８から給油管の中心側へと延出した複数の梁５１と、複数の梁の給油管の中心側における端部の燃料タンク側に結合され、梁よりも燃料タンク側へと延出した両端が開口した内筒５２とを有するようにした。【選択図】    図７
2014019317.tif 000002
【特許請求の範囲】
【請求項１】
燃料タンクと給油口との間に配置される給油管であって、
前記給油管の内壁から前記給油管の中心側へと延出した複数の梁と、
前記複数の梁の前記給油管の中心側における端部の前記燃料タンク側に結合され、前記梁よりも前記燃料タンク側へと延出した両端が開口した内筒と
を有することを特徴とする給油管。
【請求項２】
前記梁は、その前記給油口側の側部に、前記給油管の中心側に向うほど前記燃料タンク側に進むように傾斜した第１傾斜面を有することを特徴とする請求項１に記載の給油管。
【請求項３】
前記内筒の前記燃料タンク側の端部から前記給油管の中心側かつ前記内筒よりも前記燃料タンク側へと延出した複数の突片を有することを特徴とする請求項１又は請求項２に記載の給油管。
【請求項４】
前記突片は、その前記給油口側の側部に、前記給油管の中心側に向うほど前記燃料タンク側に進むように傾斜した第２傾斜面を有することを特徴とする請求項３に記載の給油管。
【請求項５】
前記内筒の内面は、長手方向における中間部が両端部に対して径方向内側に突出し、
前記内筒の外面は、長手方向における中間部が両端部に対して径方向外側に突出していることを特徴とする請求項１〜請求項４のいずれか１つの項に記載の給油管。
【請求項６】
前記複数の梁、前記内筒、及び前記複数の突片は、前記給油管の内壁に一体成形されていることを特徴とする請求項３又は請求項４に記載の給油管。
【発明の詳細な説明】
【技術分野】
【０００１】
本発明は、燃料タンクと給油口との間に配置される給油管に係り、詳細には、サイフォンホースの挿入を阻止するための構造（アンチサイフォン構造）を備えた給油管に関する。
【背景技術】
【０００２】
車両の燃料タンクと給油口とを繋ぐ給油管の内部に、燃料タンクからの燃料の抜き取りを目的としたサイフォンホースの挿入を阻止する構造（アンチサイフォン構造）を設けたものがある（例えば、特許文献１）。特許文献１に係る発明は、給油管の内壁に嵌め付けられた環状部材と、環状部材の内孔を横切るように配置された複数の梁とを備えた邪魔板を有する。各梁は給油口側、すなわちサイフォンホースが侵入してくる側に凸となるように湾曲している。これにより、サイフォンホースとの突き当たりに対する剛性を高め、サイフォンホースの侵入を確実に阻止するようにしている。
【先行技術文献】
【特許文献】
【０００３】
【特許文献１】特許第４５０４７７２号明細書
【発明の概要】
【発明が解決しようとする課題】
【０００４】
しかしながら、給油管内にアンチサイフォン構造を設けた場合、邪魔板が燃料の流れを阻害するため、圧力損失が増大し、円滑な給油作業が阻害される虞がある。特に、特許文献１に係る邪魔板は給油口側に凸となる形状を有するため、邪魔板に突き当たった燃料は邪魔板に沿って給油管の内壁側へと誘導され、給油管の内壁と燃料との摩擦エネルギー損失（摩擦圧力損失）が増大する。そのため、邪魔板が設けられた部分で燃料の流れが停滞し、給油作業の継続が困難となる虞がある。
【０００５】
本発明は、以上の背景を鑑みてなされたものであって、給油管において、アンチサイフォン構造の圧力損失を低減することを課題とする。
【課題を解決するための手段】
【０００６】
上記課題を解決するために、本発明は、燃料タンク（５）と給油口との間に配置される給油管（１）であって、前記給油管の内壁（８）から前記給油管の中心側へと延出した複数の梁（５１）と、前記複数の梁の前記給油管の中心側における端部の前記燃料タンク側に結合され、前記梁よりも前記燃料タンク側へと延出した両端が開口した内筒（５２）とを有することを特徴とする。
【０００７】
この構成によれば、梁及び内筒は、サイフォンホースの通過を阻害することができる。梁及び内筒は、給油管の軸線方向において互いに偏倚して配置されているため、給油管の軸線に直交する任意の仮想面で切断した際の断面に梁及び内筒が共に現れることが少ない。そのため、燃料の流路断面積の減少を抑制することができ、流通する燃料の圧力損失を低減することができる。圧力損失の低減によって、燃料は給油管を円滑に流通することができる。また、軸線方向において梁よりも燃料タンク側に配置された内筒が、給油管の中心側に配置されているため、給油口側から燃料タンク側へと流れる燃料は給油管の中心側に誘導され、燃料と給油管の内壁との摩擦に起因した摩擦圧力損失が低減される。
【０００８】
また、上記発明において、前記梁は、その前記給油口側の側部に、前記給油管の中心側に向うほど前記燃料タンク側に進むように傾斜した第１傾斜面（５６）を有することが好ましい。
【０００９】
この構成によれば、梁が燃料を給油管の中心側に誘導するため、燃料と給油管の内壁との摩擦に起因した摩擦圧力損失が低減される。
【００１０】
また、上記発明において、前記給油管は、前記内筒の前記燃料タンク側の端部から前記給油管の中心側かつ前記内筒よりも前記燃料タンク側へと延出した複数の突片（５３）を有することが好ましい。
【００１１】
この構成によれば、突片が障壁（障害）となって、サイフォンホースが内筒内を通過し難くなる。
【００１２】
また、上記発明において、前記突片は、その前記給油口側の側部に、前記給油管の中心側に向うほど前記燃料タンク側に進むように傾斜した第２傾斜面（６３）を有することが好ましい。
【００１３】
この構成によれば、突片が燃料を給油管の中心側に誘導するため、燃料と給油管の内壁との摩擦に起因した摩擦圧力損失を低減することができる。
【００１４】
また、上記発明において、前記内筒の内面は、長手方向における中間部が両端部に対して径方向内側に突出し、前記内筒の外面は、長手方向における中間部が両端部に対して径方向外側に突出していることが好ましい。
【００１５】
この構成によれば、内筒に起因する燃料の圧力損失を低減することができる。
【００１６】
また、上記発明において、前記複数の梁、前記内筒、及び前記複数の突片は、前記給油管の内壁に一体成形されていてもよい。
【００１７】
この構成によれば、給油管の製造が容易になる。
【発明の効果】
【００１８】
以上の構成によれば、給油管において、アンチサイフォン構造の圧力損失を低減することができる。
【図面の簡単な説明】
【００１９】
【図１】実施形態に係る給油管を示す上方斜視図
【図２】実施形態に係る給油管を、逆止弁装置を省略して示す下方斜視図
【図３】実施形態に係る給油管を示す側面図
【図４】実施形態に係る給油管を示す上面図
【図５】実施形態に係る給油管を示す底面図
【図６】図４のVI−VI断面図
【図７】図６のアンチサイフォン構造を拡大して示す断面図
【発明を実施するための形態】
【００２０】
以下、図面を参照して、本発明に係る給油管を、自動車の燃料タンクの入口部分に適用した実施形態を詳細に説明する。
【００２１】
図１に示すように、給油管１は、両端が開口した円管である管本体２と、管本体２の外周面に突設された円板状のフランジ３とを有している。図６に示すように、給油管１は、管本体２の一端が燃料タンク５の上壁６に形成された貫通孔７に挿通され、フランジ３が貫通孔７を通過せずに上壁６の外面であって貫通孔７の周縁に結合される。管本体２の燃料タンク５内に配置される端部を内端といい、燃料タンク５外に配置される端部を外端という。管本体２の内端には、管本体２の内孔８を開閉する逆止弁装置１０が取り付けられている。管本体２の外端には、給油ノズルを受容する給油口（図示しない）に連通する可撓性のフューエルホース１１が接続される。そのため、管本体２の外端側を給油口側といい、内端側を燃料タンク側ともいう。
【００２２】
図１及び図６に示すように、管本体２及びフランジ３は、性質が異なる２種類の樹脂材料を２色成形することによって一体に形成されている。樹脂材料は、例えばポリアミドやポリエチレンであってよい。本実施形態では、管本体２の内周面側部分と、内周面側部分に突設されたフランジ３の燃料タンク側（内面側）の基部２５とをポリアミドで形成し、管本体２の外端側の外周面側部分からフランジ３の外面側部分及び周縁部分をポリエチレンで構成している。フランジ３は、ポリエチレンで形成されたフランジ３の周縁部分において燃料タンク５の外面に、例えば振動溶着によって結合される。
【００２３】
図１に示すように、管本体２の外端の外周面には、周方向に沿って延設された環状のホース係止爪１５が形成されている。ホース係止爪１５は、管本体２の外端がフューエルホース１１の一端に挿入された際に、フューエルホース１１の内面に食い込み（引っ掛かり）、フューエルホース１１を管本体２に係止する。また、フューエルホース１１の一端の外面側には環状のホースバンド１７が設けられ、管本体２とフューエルホース１１とはホースバンド１７によって締結される。
【００２４】
図２及び図３に示すように、管本体２の内端の外周面側には、外周面の径が長手方向における中間部に対して段違いに縮径された縮径部２１が形成されている。また、縮径部２１の外周面側の内端縁にはシールリング溝２２が段違いに凹設されている。シールリング溝２２は、周方向に延設されると共に、管本体２の内端面２３に連続している。
【００２５】
図１及び図６に示すように、逆止弁装置１０は、管本体２の縮径部２１に装着される筒状の基部２５と、基部２５に回動可能に支持されたフラップ２６と、シールリング溝２２に装着されたシールリング２７と、基部２５とフラップ２６との間に介装された捻りコイルばね２８とを有している。図１及び図２に示すように、基部２５は、両端が開口した円筒形状の円筒部２９を有し、円筒部２９において縮径部２１の外面に装着される。円筒部２９は、一方の端面から軸線方向へと延在するスリット３１を有している。縮径部２１の外周面には、突起３２が突設されており、スリット３１に突起３２を受容させることによって、縮径部２１に対する円筒部２９の回転位置が定まる。また、円筒部２９には、内周面から外周面へと貫通する複数の係止孔３４が形成されており、縮径部２１に突設された係止爪３５が係止孔３４に引っ掛かることによって、円筒部２９は縮径部２１に係止される。
【００２６】
図６に示すように、円筒部２９の管本体２の内端側に対応する端縁には、径方向内側に突出し、周方向に沿って環状に形成されたシール係止片３７が形成されている。また、円筒部２９の給油口側と相反する側の端縁の一部には、径方向外方に延出した後、屈曲して給油口側と相反する側に延出するフード３８が形成されている。
【００２７】
図６及び図７に示すように、シールリング２７は、環状に形成されたリング部４１と、リング部４１の軸線方向における一側縁に沿って環状に突設されたリップ部４２とを有している。リング部４１は、断面が円形や四角形等であってよい。リップ部４２は、先端側に向かうほど径が大きくなるように円錐台形状（ラッパ形状）に形成されている。シールリング２７は、リング部４１においてシールリング溝２２に嵌着され、リップ部４２が管本体２の内端面２３から突出するように配置される。また、リング部４１が、管本体２の軸線方向においてシールリング溝２２の給油口側の側壁と、基部２５のシール係止片３７との間に挟持されることによって、管本体２に対して支持される。
【００２８】
図５及び図６に示すように、フラップ２６は、円板状のフラップ本体４６と、フラップ本体４６の外面に突設された一対のアーム４７とを有し、アーム４７において基部２５に形成された支持軸４４に回動可能に支持され、フラップ本体４６が管本体２の内端面２３から突出したリップ部４２に当接し、内孔８を閉塞する閉位置と、フラップ本体４６が管本体２の内端面２３から離間した開位置との間で回動可能となっている。捻りコイルばね２８は、フラップ２６を閉位置へと付勢している。以上の構成によって、逆止弁装置１０は、通常時においては捻りコイルばね２８の付勢力によってフラップ２６が管本体２の内孔８を閉じ、給油時の給油口側から燃料タンク側に向かう燃料の流れによって、捻りコイルばね２８の付勢力に抗してフラップ２６が開位置へと変位して内孔８を開く。
【００２９】
図５及び図６に示すように、管本体２の内孔８の内端側には、アンチサイフォン構造５０が設けられている。アンチサイフォン構造５０は、管本体２の内孔８の内壁から管本体２の中心側へと径方向に延出した複数の梁５１と、各梁５１の先端部に結合され、管本体２と同軸に配置された両端が開口した内筒５２と、内筒５２の燃料タンク側の端部に突設された複数の突片５３とを有している。
【００３０】
各梁５１は、薄板状をなし、主面が管本体２の軸線を中心とした周方向を向くように、管本体２の径方向及び軸線方向に延在して配置されている。本実施形態では、梁５１は３つ設けられ、管本体２の軸線回りに等間隔（１２０°間隔）で配置されている。図７に示すように、各梁５１は、三角形状に形成され、その一辺が管本体２の内孔８の内壁に結合され、１つの頂点が管本体２の中心側に配置されている。各梁５１は、その給油口側部分に、先端側（管本体２の中心側）に進むほど、燃料タンク側に進むように傾斜した第１傾斜面５６を有している。
【００３１】
内筒５２の内周面５７及び外周面５８は、それぞれ軸線方向における中間部が両端部に対して突出した形状に形成されている。すなわち、内筒５２の周壁は、軸線方向における中間部において肉厚が厚くなっている。本実施形態では、内筒５２の内周面５７は、軸線方向における中間部が軸線を中心とした円周面に形成され、軸線方向における両端部が端部側に進むほど径が大きくなる傾斜面となっている。また、内筒５２の外周面５８は、軸線方向における中間部が軸線を中心とした円周面に形成され、軸線方向における両端部が端部側に進むほど径が小さくなる傾斜面となっている。なお、他の実施形態は、内筒５２の断面における内周面５７及び外周面５８が、軸線方向において中間部及び両端部が滑らかに連続した曲線状（弧状）に形成されていてもよい。内筒５２は、給油口側の端部の外周面において各梁５１の先端に結合され、各梁５１よりも燃料タンク側に延出している。
【００３２】
図４、図６及び図７に示すように、各突片５３は、内筒５２の燃料タンク側の端面６１から、内筒５２の中心側かつ燃料タンク側に延出している。各突片５３は、薄板状をなし、主面が管本体２の軸線を中心とした周方向を向くように、管本体２（内筒５２）の径方向及び軸線方向に延在して配置され、図７に示すように、給油口側の部分に内筒５２の中心側に向うほど燃料タンク側へと進む第２傾斜面６３を有している。本実施形態では、突片５３は４つ設けられ、管本体２の軸線回りに等間隔（９０°間隔）で配置されている。各突片５３の先端は、遊端となって互いに離間している。また、各突片５３の先端は、管本体２の内端面２３よりも給油口側に偏倚した位置に配置されている。
【００３３】
本実施形態に係る給油管１のアンチサイフォン構造５０は、梁５１、内筒５２及び突片５３が給油管１内において障壁となるため、燃料タンク５からの燃料の抜き取りを意図したビニールホース等のサイフォンホースの挿入を阻害することができる。また、図６に示すように、アンチサイフォン構造５０は、燃料の流れを阻害する障壁となり得る梁５１、内筒５２及び突片５３が管本体２の軸線方向に互いに偏倚して配置されているため、アンチサイフォン構造５０を管本体２の軸線に直交する任意の仮想面で切断した際の断面に、梁５１、内筒５２及び突片５３が共に現れることがなく、断面積が小さくなり、内孔８内を給油口側から燃料タンク側へと流れる燃料に対して圧力損失が生じ難くなっている。
【００３４】
また、給油口側から燃料タンク側へと進むにつれて、梁５１、内筒５２及び突片５３は、配置が順に管本体２の中心側へと順番に偏倚しているため、給油口側から燃料タンク側へと流れる燃料は、梁５１、内筒５２及び突片５３に誘導されて管本体２の中心側へと流れる。そのため、燃料は管本体２の内孔８の内壁から離れ易くなり、燃料と内壁との摩擦に起因した摩擦圧力損失を低減することができる。
【００３５】
また、各梁５１の第１傾斜面５６及び各突片５３の第２傾斜面６３は、給油口側から燃料タンク側へと流れる燃料を管本体２の中心側に誘導する効果を奏し、燃料と内壁との摩擦に起因した摩擦圧力損失を低減する。
【００３６】
内筒５２は、その内周面５７及び外周面５８が、内筒５２の軸線方向において中間部が両端部に比べて突出した形状を有するため、内筒５２が燃料に与える圧力損失が低減されている。
【００３７】
以上で具体的実施形態の説明を終えるが、本発明は上記実施形態に限定されることなく幅広く変形実施することができる。例えば、突片５３は付加的な構成であって、他の実施形態においては省略してもよい。また、本実施形態では、梁５１、内筒５２及び突片５３からなるアンチサイフォン構造５０を管本体２と一体に形成したが、アンチサイフォン構造５０と管本体２とを別部材に形成し、後でアンチサイフォン構造５０を管本体２に組み付ける構成としてもよい。例えば、円筒の外筒を用意し、外筒の内面に、梁５１を突設して内筒５２及び突片５３を設け、外筒を管本体２の内周面に支持させるようにしてもよい。外筒を管本体２に支持させる方法としては、段部による係止であってよいし、圧入であってもよい。また、第１傾斜面５６及び第２傾斜面６３は、単一の平面でなくてもよく、断面を曲面や山形としてもよい。
【符号の説明】
【００３８】
１…給油管、２…管本体、５…燃料タンク、８…内孔、１０…逆止弁装置、１１…フューエルホース、２３…内端面、２６…フラップ、２７…シールリング、５０…アンチサイフォン構造、５１…梁、５２…内筒、５３…突片、５６…第１傾斜面、５７…内周面、５８…外周面、６１…端面、６３…第２傾斜面
【図１】
2014019317.tif 000003
【図２】
2014019317.tif 000004
【図３】
2014019317.tif 000005
【図４】
2014019317.tif 000006
【図５】
2014019317.tif 000007
【図６】
2014019317.tif 000008
【図７】
2014019317.tif 000009